【手続補正書】
【提出日】平成20年9月11日(2008.9.11)
【手続補正１】
【補正対象書類名】明細書
【補正対象項目名】発明の名称
【補正方法】変更
【補正の内容】
【発明の名称】電子カード読取装置
【手続補正２】
【補正対象書類名】明細書
【補正対象項目名】特許請求の範囲
【補正方法】変更
【補正の内容】
【特許請求の範囲】
【請求項１】  基板と、データ制御装置のためのデータを格納する電子メモリとを有する電子カードを読み取るための電子カード読取装置であって、
当該読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備え、
前記データ制御装置は前記データの受信によって制御される機能を有し、該データを受信するために当該電子カード読取装置と通信することを特徴とする電子カード読取装置。
【請求項２】  前記膜の有する少なくとも一つの寸法は、前記電子カードの有する少なくとも一つの寸法と実質的に等しいことを特徴とする請求項１に記載の電子カード読取装置。
【請求項３】  前記電子メモリから読み取ったデータを前記データ制御装置へ通信するための送信部をさらに備えることを特徴とする請求項１に記載の電子カード読取装置。
【請求項４】  前記受容部は、前記カード読取装置の、前記送信部と反対側に設けられることを特徴とする請求項３に記載の電子カード読取装置。
【請求項５】  前記受容部は、前記カード読取装置の、前記送信部と同じ側に設けられることを特徴とする請求項３に記載の電子カード読取装置。
【請求項６】  前記カード読取装置は実質的に駆動部分をもたないことを特徴とする請求項１に記載の電子カード読取装置。
【請求項７】  基板と、データが格納された電子メモリとを有する電子カードを読み取るための電子カード読取装置であって、
前記読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備えることを特徴とする電子カード読取装置。
【請求項８】  前記膜の有する少なくとも一つの寸法は、前記電子カードの有する少なくとも一つの寸法と実質的に等しいことを特徴とする請求項７に記載の電子カード読取装置。
【請求項９】  前記電子メモリから読み取ったデータをデータ制御装置へ通信するための送信部をさらに備えることを特徴とする請求項７に記載の電子カード読取装置。
【請求項１０】  前記受容部は、前記カード読取装置の、前記送信部と反対側に設けられることを特徴とする請求項９に記載の電子カード読取装置。
【請求項１１】  前記受容部は、前記カード読取装置の、前記送信部と同じ側に設けられることを特徴とする請求項９に記載の電子カード読取装置。
【請求項１２】  前記カード読取装置は実質的に駆動部分をもたないことを特徴とする請求項７に記載の電子カード読取装置。
【請求項１３】  基板と、データが格納された電子メモリとを有する電子カードを読み取るために構成され、可動部のない電子カード読取装置であって、
前記読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備えることを特徴とする電子カード読取装置。
【請求項１４】  前記膜の有する少なくとも一つの寸法は、前記電子カードの有する少なくとも一つの寸法と実質的に等しいことを特徴とする請求項１３に記載の電子カード読取装置。
【請求項１５】  前記電子メモリから読み取ったデータをデータ制御装置へ通信するための送信部をさらに備えることを特徴とする請求項１３に記載の電子カード読取装置。
【請求項１６】  前記受容部は、前記カード読取装置の、前記送信部と反対側に設けられることを特徴とする請求項１５に記載の電子カード読取装置。
【請求項１７】  前記受容部は、前記カード読取装置の、前記送信部と同じ側に設けられることを特徴とする請求項１５に記載の電子カード読取装置。
【請求項１８】  基板と、データが格納された電子メモリとを有する電子カードを読み取るために構成され、可動部のない電子カード読取装置であって、
タッチ検出可能な実質的に透明な膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを受容状態で保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備えることを特徴とする電子カード読取装置。
【請求項１９】  電子カードの電子メモリ中に格納されたデータを読み取るための電子カード読取装置であって、
ユーザによって押下可能な上部表面を有するタッチ検知部である実質的に透明な薄膜と、
前記タッチ検知部である実質的に透明な薄膜を保持する上部と下部を有する受容部とを有し、
前記上部と下部は空隙を有し、前記電子カードを挿入可能とし、前記下部は、前記上部の方向に湾曲し、前記空隙に挿入されたカードを停止させるためのストッパーを有し、
前記薄膜の押下に応じて前記電子メモリからデータを読み取るための前記薄膜に結合した電子回路手段と備えることを特徴とする電子カード読取装置。
【請求項２０】  前記ストッパーは前記上部と下部に平行であることを特徴とする請求項１９に記載の電子カード読取装置。
【手続補正３】
【補正対象書類名】明細書
【補正対象項目名】０００８
【補正方法】変更
【補正の内容】
【０００８】
本発明の一態様によって提供される電子カード読取装置は以下の構成を備える。すなわち、
基板と、データ制御装置のためのデータを格納する電子メモリとを有する電子カードを読み取るための電子カード読取装置であって、
当該読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備え、
前記データ制御装置は前記データの受信によって制御される機能を有し、該データを受信するために当該電子カード読取装置と通信する。
【手続補正４】
【補正対象書類名】明細書
【補正対象項目名】０００９
【補正方法】変更
【補正の内容】
【０００９】
また、本発明の他の態様による電子カード読取装置は、
基板と、データが格納された電子メモリとを有する電子カードを読み取るための電子カード読取装置であって、
前記読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備える。
【手続補正５】
【補正対象書類名】明細書
【補正対象項目名】００１０
【補正方法】変更
【補正の内容】
【００１０】
さらに、本発明の他の態様による電子カード読取装置は、
基板と、データが格納された電子メモリとを有する電子カードを読み取るために構成され、可動部のない電子カード読取装置であって、
前記読取装置のユーザによって押下が可能に構成された上面を有する、タッチ検出が可能で実質的に透明な膜と、
前記膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備える。
【手続補正６】
【補正対象書類名】明細書
【補正対象項目名】００１１
【補正方法】変更
【補正の内容】
【００１１】
さらに、本発明の他の態様による電子カード読取装置は、
基板と、データが格納された電子メモリとを有する電子カードを読み取るために構成され、可動部のない電子カード読取装置であって、
タッチ検出可能な実質的に透明な膜の下部に配置され、開口部を通して前記電子カードを受容する形状を有する受容部であって、前記受容部は前記開口部に隣接した実質的に湾曲した輪郭を有する内部支持面を具備し、前記湾曲した輪郭は、前記開口部に隣接した、前記電子カードの一部に対する圧力に応じて前記電子カードを完全に挿入された位置へと導くとともに前記受容部に前記電子カードを受容状態で保持するように形成され、前記受容部に保持された状態において前記電子カードは前記膜を通して観察可能であるとともに、前記電子カードの前記開口部に隣接した部分の圧力に応じて前記受容部から前記電子カードを取り外し可能とするように前記電子カードの自由端が露出しており、
前記膜の押下に従って前記電子メモリからデータを読み出すために該膜と接続された電子回路手段とを備える。
【手続補正７】
【補正対象書類名】明細書
【補正対象項目名】００１２
【補正方法】変更
【補正の内容】
【００１２】
また、本発明の他の態様による電子カード読取装置は、
電子カードの電子メモリ中に格納されたデータを読み取るための電子カード読取装置であって、
ユーザによって押下可能な上部表面を有するタッチ検知部である実質的に透明な薄膜と、
前記タッチ検知部である実質的に透明な薄膜を保持する上部と下部を有する受容部とを有し、
前記上部と下部は空隙を有し、前記電子カードを挿入可能とし、前記下部は、前記上部の方向に湾曲し、前記空隙に挿入されたカードを停止させるためのストッパーを有し、
前記薄膜の押下に応じて前記電子メモリからデータを読み取るための前記薄膜に結合した電子回路手段と備える。
【手続補正８】
【補正対象書類名】明細書
【補正対象項目名】００２９
【補正方法】変更
【補正の内容】
【００２９】
再び図１及び図２に戻ると、次のことがわかる。サポート面５０７は、位置５１１から遠ざかるように延びて、コンタクト１０７が横たわる面を定義する中央の背骨部５４２と、この背骨部５４２の両側のスカラップ部位（scalloped portion）或いはリベート（rebate）１１２と１１４とを備える。スカラップ部位或いはリベート１１２と１１４の各々は、コンタクト１０７の面よりもいくらか低い領域を定義する。この構成は、カード３００の周辺部が、コンタクト１０７と１１０８の間における接触状態の形成と維持を妨害しないように作用する。カード３００は、開口部１１０内の位置で単にカード３００の下側へ指による圧力を加えて、カード３００を滑らせて上記で説明されたしまりばめからカードを解放することによって、レセプタクル１０４から取り外される。カード３００がコンタクトから離れるようにずらされるとき、面５０７の湾曲は、カード３００の自由端が図５Ｂに示される位置、すなわち、カード３００が再びユーザによって完全に握られ得る位置へ落ちることを可能とする。